(57)【要約】【課題】コンテンツから抽出したキーワードを表示する情報処理装置を提供する。【解決手段】実施形態によれば、情報処理装置はコンテンツ表示手段と、抽出手段と、記憶手段と、キーワード表示手段とを具備する。抽出手段は表示手段により表示されているコンテンツからキーワードを抽出する。記憶手段は抽出された第１キーワードを記憶する。キーワード表示手段は抽出された第１キーワードと記憶手段から読み出された第２キーワードとを表示する。【選択図】図５
2012212191.tif 000002
【特許請求の範囲】
【請求項１】
コンテンツを表示するコンテンツ表示手段と、
前記表示手段により表示されている前記コンテンツからキーワードを抽出する抽出手段と、
前記抽出手段によって抽出された第１キーワードを記憶する記憶手段と、
前記抽出手段によって抽出された前記第１キーワードと前記記憶手段から読み出された第２キーワードを表示するキーワード表示手段と、
を具備する情報処理装置。
【請求項２】
前記キーワード表示手段は前記第１キーワードを表示する第１画面と前記第２キーワードを表示する第２画面とを具備し、前記第１画面と前記第２画面は切り替え可能である請求項１記載の情報処理装置。
【請求項３】
前記キーワード表示手段は前記第１キーワードを表示する第１画面と前記第２キーワードとを表示する第２画面を具備し、前記第１画面と前記第２画面は同時に表示される請求項１記載の情報処理装置。
【請求項４】
前記キーワード表示手段で表示されている前記第１のキーワードと前記第２のキーワードのいずれかを選択する選択手段と、
前記選択手段で選択されたキーワードを用いて検索を行う検索手段と、をさらに具備し、
前記記憶手段は前記検索手段が用いた第３キーワードも記憶し、
前記キーワード表示手段は前記記憶手段から読み出された第２キーワードの中の第３キーワードを表示する請求項１記載の情報処理装置。
【請求項５】
前記キーワード表示手段で表示されている前記第１のキーワードと前記第２のキーワードのいずれかを選択する選択手段と、
前記選択手段で選択されたキーワードを用いて検索を行う検索手段と、
前記選択手段による検索結果を表示する検索結果表示手段をさらに具備する請求項１記載の情報処理装置。
【請求項６】
前記検索結果表示手段により表示される検索結果は前記選択手段による選択に応じて更新される請求項５記載の情報処理装置。
【請求項７】
前記キーワード表示手段は前記第１キーワードを表示する第１画面と前記第３キーワードを表示する第３画面とを具備し、前記第１画面と前記第３画面は切り替え可能である請求項５記載の情報処理装置。
【請求項８】
前記キーワード表示手段は前記第１キーワードを表示する第１画面と前記第３キーワードとを表示する第３画面を具備し、前記第１画面と前記第３画面は同時に表示される請求項５記載の情報処理装置。
【請求項９】
前記キーワード表示手段で表示されている前記第１のキーワードと前記第２のキーワードのいずれかを選択する選択手段と、
前記選択手段で選択された第３キーワードを用いて検索を行う検索手段と、をさらに具備し、
前記キーワード表示手段は前記第２キーワードの中の前記第３キーワードを識別可能に表示する請求項１記載の情報処理装置。
【請求項１０】
前記キーワード表示手段は、前記第３キーワードと識別マークとを表示する請求項９記載の情報処理装置。
【請求項１１】
前記キーワード表示手段は前記第１キーワードを表示する第１画面と前記第２キーワードを表示する第２画面とを具備し、前記第１画面と前記第２画面は切り替え可能である請求項９記載の情報処理装置。
【請求項１２】
前記キーワード表示手段は前記第１キーワードを表示する第１画面と前記第２キーワードとを表示する第２画面を具備し、前記第１画面と前記第２画面は同時に表示される請求項９記載の情報処理装置。
【請求項１３】
前記キーワード表示手段はカテゴリを表示し、
前記選択手段はカテゴリを選択し、
検索手段は選択されたカテゴリについて検索を行う請求項４または５記載の情報処理装置。
【請求項１４】
他の機器からキーワードと当該機器の識別情報とを受信する受信手段をさらに具備し、
前記記憶手段は前記受信手段で受信されたキーワードと識別情報を記憶し、
前記キーワード表示手段は記憶手段から読み出されたキーワードと識別情報とを表示する請求項１記載の情報処理装置。
【請求項１５】
前記コンテンツ表示手段によるコンテンツの閲覧履歴を表示する履歴表示手段をさらに具備する請求項１記載の情報処理装置。
【請求項１６】
前記キーワード表示手段は前記第１キーワードを表示する第１画面と前記第２キーワードを表示する第２画面とを具備し、前記履歴表示手段は前記閲覧履歴を表示する第３画面とを具備し、前記第１画面と前記第２画面と前記第３画面は切り替え可能である請求項１５記載の情報処理装置。
【請求項１７】
前記キーワード表示手段は前記第１キーワードを表示する第１画面と前記第２キーワードを表示する第２画面とを具備し、前記履歴表示手段は前記閲覧履歴を表示する第３画面とを具備し、前記第１画面と前記第２画面と前記第３画面は同時に表示される請求項１５記載の情報処理装置。
【請求項１８】
コンテンツを表示し、
表示されている前記コンテンツからキーワードを抽出し、
抽出された第１キーワードを記憶部に記録し、
抽出された前記第１キーワードと前記記憶部から読み出された第２キーワードとを表示する情報処理方法。
【発明の詳細な説明】
【技術分野】
【０００１】
本発明の実施形態は情報を検索する情報処理装置及び情報処理方法に関する。
【背景技術】
【０００２】
インターネットには、１つ又は複数のウェブページからなる数多くのウェブサイトが接続されている。インターネットに接続された情報処理装置は、ウェブページへアクセスすることによって多種多様な情報を使用者へ提供することができる。ここで、ウェブページとは、ｈｔｍｌ（HyperText Markup Language）によって記述されたファイルに対応する。また、ウェブページは、ＵＲＩ（Uniform Resource Indicator）あるいはＵＲＬ（Uniform Resource Locator）（以下、ＵＲＩと称する）によって識別される。そして、ウェブサイトは、ウェブページの集まりである。数多くのウェブページへのアクセスが可能であるため、情報処理装置の使用者は、有用なウェブページを見つけることが困難である。そこで、装置の使用者は、アクセスしているウェブページに含まれる注目する語彙を指定し、装置は、指定された語彙をキーワードとし、更に、その語彙周辺の文字列からキーワードを抽出し、それらのキーワードを指定してウェブページを検索し、検索されたウェブページへアクセスする処理が知られている。
【０００３】
しかしながら、装置にウェブページを検索させるために、装置の使用者は、注目する語彙を選択して指定する必要があった。そのために語彙の意味を熟慮することと、選択した語彙を誤り無く指定する操作とが避けられず、その結果、手軽に検索をさせることができない問題点があった。
【０００４】
これを解決するために、情報処理装置により表示されたウェブページからキーワードを自動的に抽出する手段が開発されている。抽出されたキーワードが画面上に表示されるため、ユーザは表示されたキーワードを選択するだけでキーワード検索を行うことができる。
【先行技術文献】
【特許文献】
【０００５】
【特許文献１】特開２００５−１１５７９０号公報
【特許文献２】特開２００９−１２９０９８号公報
【特許文献３】特開２００４−２３３４５号公報
【特許文献４】特開２００２−１４９６６８号公報
【発明の概要】
【発明が解決しようとする課題】
【０００６】
従来の情報処理装置は当該装置により現在表示されているウェブページから抽出したキーワードの中からいずれかのキーワードを選択することはできるが、過去に表示されたウェブページから抽出したキーワードを選択することはできなかった。
【０００７】
本発明の目的は、現在表示されているウェブページから抽出したキーワードに加えて過去に表示されたウェブページから抽出したキーワードも選択することができる情報処理装置及び情報処理方法を提供することである。
【課題を解決するための手段】
【０００８】
実施形態によれば、情報処理装置はコンテンツ表示手段と、抽出手段と、記憶手段と、キーワード表示手段とを具備する。抽出手段はコンテンツ表示手段により表示されているコンテンツからキーワードを抽出する。記憶手段は抽出された第１キーワードを記憶する。キーワード表示手段は抽出された第１キーワードと記憶手段から読み出された第２キーワードとを表示する。
【図面の簡単な説明】
【０００９】
【図１】第１の実施形態に係る情報処理装置の外観の一例を示す図。
【図２】第１の実施形態に係る情報処理装置の典型的なシステム構成を示すブロック図。
【図３】第１の実施形態に係る情報処理方法を示す典型的なフローチャートの一例を示す図。
【図４】第１の実施形態に係る抽出キーワード記憶部に記憶される典型的なデータの例を示す図。
【図５】第１の実施形態に係るキーワードを表示する表示画面の一例を示す図。
【図６】第１の実施形態に係る検索キーワード記憶部に記憶される典型的なデータの例を示す図。
【図７】第１の実施形態に係るキーワード及び検索結果の表示画面の一例を示す図。
【図８】第２の実施形態に係る情報処理装置の典型的なシステム構成を示すブロック図。
【図９】第２の実施形態に係る抽出キーワード記憶部に記憶される典型的なデータの例を示す図。
【図１０】第２の実施形態に係るキーワードを表示する表示画面の一例を示す図。
【図１１】第２の実施形態に係る過去キーワード記憶部に記憶される典型的なデータの例を示す図。
【図１２】第３の実施形態に係る情報処理装置の外観の一例を示す図。
【図１３】第３の実施形態に係る情報処理装置の典型的なシステム構成を示すブロック図。
【図１４】第３の実施形態に係る情報処理方法の一部を示す典型的なフローチャートの一例を示す図。
【図１５】第３の実施形態に係る情報処理方法の他の一部を示す典型的なフローチャートの一例を示す図。
【図１６】第３の実施形態に係る抽出キーワード記憶部または過去キーワード記憶部に記憶される典型的なデータの例を示す図。
【図１７】第３の実施形態に係るキーワードを表示する表示画面の一例を示す図。
【図１８】第３の実施形態に係るキーワード及び検索結果の表示画面の一例を示す図。
【図１９】第４の実施形態に係るキーワードを表示する表示画面の一例を示す図。
【図２０】第４の実施形態に係る抽出キーワード記憶部または過去キーワード記憶部に記憶される典型的なデータの例を示す図。
【図２１】第５の実施形態に係る情報処理装置の典型的なシステム構成を示すブロック図。
【図２２】第５の実施形態に係る過去キーワード記憶部に記憶される典型的なデータの例を示す図。
【図２３】第５の実施形態に係るキーワードを表示する表示画面の一例を示す図。
【図２４】第６の実施形態に係る情報処理装置の典型的なシステム構成を示すブロック図。
【図２５】第６の実施形態に係る抽出キーワード記憶部または過去キーワード記憶部に記憶される典型的なデータの例を示す図。
【図２６】第６の実施形態に係るキーワードを表示する表示画面の一例を示す図。
【図２７】第７の実施形態に係る情報処理装置の典型的なシステム構成を示すブロック図。
【図２８】第７の実施形態に係るＵＲＩ閲覧履歴記憶部に記憶される典型的なデータの例を示す図。
【図２９】第７の実施形態に係る閲覧ＵＲＩを表示する表示画面の一例を示す図。
【図３０】第８の実施形態に係る情報処理装置の典型的なシステム構成を示すブロック図。
【図３１】第８の実施形態に係るキーワード及び閲覧履歴表示ボタンを表示する表示画面の一例を示す図。
【図３２】第８の実施形態に係るコンテンツ閲覧履歴記憶部に記憶される典型的なデータの例を示す図。
【図３３】第８の実施形態に係るキーワード、閲覧履歴表示ボタン、及び閲覧履歴結果を表示する表示画面の一例を示す図。
【発明を実施するための形態】
【００１０】
以下、実施の形態について図面を参照して説明する。
【００１１】
［第１の実施形態］
図１は、本発明の一実施形態に係る情報処理装置の外観を示す斜視図である。この電子機器は、例えばノートブックタイプのパーソナルコンピュータ１０２として実現されている。図１に示すように、本コンピュータ１０２は、コンピュータ本体１００と、ディスプレイユニット１０１とから構成されている。ディスプレイユニット１０１には、ＬＣＤ（Liquid Crystal Display）１０４が組み込まれている。ディスプレイユニット１０１は、コンピュータ本体１０２の上面が露出される開放位置とコンピュータ本体１０２の上面を覆う閉塞位置との間を回動自在にコンピュータ本体１０２に取り付けられている。
【００１２】
コンピュータ本体１０２は、薄い箱形の筐体を有しており、その上面には、キーボード１０６、本コンピュータ１０２を電源オン／電源オフするためのパワーボタン１１０、入力操作パネル１１２、タッチパッド１０８、スピーカ１１４Ａ，１１４Ｂなどが配置されている。入力操作パネル１１２上には、各種操作ボタンが設けられている。
【００１３】
コンピュータ１０２は、パワーボタン１１０がユーザによってオンされることによって起動する。起動したコンピュータ１０２は、ユーザの操作によってキーボード１０６またはタッチパッド１０８のような入力インタフェースからの入力信号に従い操作される。また、この入力信号に従いコンピュータ１０２はＬＣＤ１０４に情報を表示する。例えば、ウェブページがＬＣＤ１０４に表示されている場合において、ユーザがＬＣＤ１０４に表示されたウェブページ（以下、コンテンツとも称する）のリンクを選択する際、ユーザは上記のような入力インタフェースを使用してＬＣＤ１０４に表示されたそのリンクを選択することができる。
【００１４】
第１の実施形態では、ＬＣＤ１０４にコンテンツを表示し、そのコンテンツからキーワードを抽出し、抽出されたキーワードを記憶し、現在表示しているコンテンツから抽出したキーワード及び過去に表示したコンテンツから抽出され記憶されているキーワードをＬＣＤ１０４に表示する。詳細については後述するが、第１の実施形態でのキーワードの表示の概観に関して述べると、コンテンツから抽出されたキーワードがガジェットとしてＬＣＤ１０４上に常時表示される。キーワードがＬＣＤ１０４に常時表示されているため、表示されているキーワードからユーザはいずれかのキーワードを選択するだけで、ユーザは選択したキーワードに基づいてコンテンツの検索を行うことができる。但し、表示の態様はガジェットに限らず、ＬＣＤ１０４上のアプリケーションを使用してキーワードを表示してもよい。例えば、コンテンツ表示画面の端にキーワード表示ボタンを表示し、このボタンが選択された時にコンテンツ表示画面からキーワード表示画面に切り替わるようにしてもよい。
【００１５】
ＬＣＤ１０４に表示されるコンテンツは、例えばインターネットから取得したＨＴＭＬ文書、テレビなどの番組関連情報、またはメタデータなどのテキストデータや文字列である。また、これに限らず後述する形態素解析によって抽出可能なテキストデータや文字列を含むコンテンツであればよい。
【００１６】
さらに、ＬＣＤ１０４に表示されるコンテンツの一部がキーワードの抽出ができない場合でも、ＬＣＤ１０４に表示されるコンテンツの一部にキーワードを抽出することが可能なコンテンツが含まれていればよい。
【００１７】
次に、図２及び図３を参照して上述したコンピュータ１０２で処理される第１の実施形態の処理について説明する。
【００１８】
始めに図２を参照してコンピュータ１０２を含んだ処理システムの構成について説明する。図２は第１の実施形態のシステム構成を示すブロック図である。
【００１９】
第１の実施形態の処理システムは、コンピュータ１０２、コンテンツ提供サーバ２０４、キーワード検索サーバ２４０から構成される。コンテンツ提供サーバ２０４及びキーワード検索サーバ２４０は、例えばインターネットのようなＩＰネットワークによりアクセス可能であるサーバである。ただし、コンテンツ提供サーバ２０４及びキーワード検索サーバ２４０は必須のものではない。コンピュータ１０２がこのようなサーバと同等の機能を含んでいれば、コンテンツ提供サーバ２０４及びキーワード検索サーバ２４０を設ける必要はない。すなわち、コンピュータ１０２自身に格納されているコンテンツをコンピュータ１０２自身が有しているキーワード抽出機能により抽出されたキーワードに基づいて検索するシステムでもよい。
【００２０】
コンピュータ１０２は、ユーザによってキーボード１０６またはタッチパッド１０８のような入力インタフェースを使用してＵＲＩを指定し、指定したＵＲＩに基づき、コンテンツ表示プログラム２０６により実現されるＵＲＩ指定部２０８を介してコンテンツ提供サーバ２０４に接続される。コンピュータ１０２は、コンテンツ表示プログラム２０６により実現されるＨＴＭＬ文書取得部２１０に指定されたＵＲＩに対応したＨＴＭＬ文書２１２をコンテンツ提供サーバ２０４から取得する。
【００２１】
ＨＴＭＬ文書取得部２１０は、コンテンツ提供サーバ２０４から取得したＨＴＭＬ文書２１２をコンテンツ読込監視部２１６に接続されているコンテンツ表示部２１４に送る。
【００２２】
コンテンツ表示部２１４は、ＨＴＭＬ文書取得部２１０から送られたＨＴＭＬ文書２１２を解釈し、ＬＣＤ１０４にその解釈されたＨＴＭＬ文書２１２に基づくコンテンツを表示する。コンテンツ読込監視部２１６は、コンテンツ表示部２１４によって表示されるコンテンツの表示の進捗状況を監視する。表示されるべきコンテンツの全ての表示が完了したことを、コンテンツ読込監視部２１６が確認すると、キーワード抽出部２２０に接続されている文書抽出部２１８にその旨を通知する。
【００２３】
文書抽出部２１８はその通知を受けると、ＨＴＭＬ文書取得部２１０からＨＴＭＬ文書２１２を取得し、キーワード辞書２２２及び抽出キーワード記憶部２２６に接続されているキーワード抽出部２２０にＨＴＭＬ文書２１２を送る。
【００２４】
キーワード抽出部２２０は、文書抽出部２１８から送られてきたＨＴＭＬ文書２１２からキーワード辞書２２２を用いてキーワードを抽出する。キーワード抽出部２２０は抽出キーワード記憶部２２６に抽出したキーワード２２４を記録する。キーワード読出部２３０は抽出キーワード記憶部２２６からキーワードを読み出す。キーワード表示部２３２はキーワード読出部２３０により読み出されたキーワード２２４をＬＣＤ１０４上に表示する。
【００２５】
ユーザの操作によってキーボード１０６またはタッチパッド１０８のような入力インタフェースからの入力信号を受信する入力部２３４から、キーワード表示部２３２により表示されているキーワード２３８のいずれかがユーザによって選択されると、キーワード検索部２３６にその旨が通知される。
【００２６】
キーワード検索部２３６は、ユーザによって選択されたキーワード２３８を検索キーワード記憶部２２８に送り、記録するとともに、キーワード検索サーバ２４０にもキーワード２３８を送る。
【００２７】
検索結果表示部２４４は、キーワード検索サーバ２４０を介してキーワード検索部２３６に接続されており、キーワード検索サーバ２４０によるキーワード検索の検索結果２４２を受信する。受信した検索結果２４２に基づき、検索結果表示部２４４はユーザによって選択されたキーワード２３８による検索結果をＬＣＤ１０４上に表示する。
【００２８】
検索結果はキーワードを含むコンテンツを示すものであり、ＷＥＢページのタイトル、スニペット、及びコンテンツのＵＲＩ等から構成される。これらのコンテンツのいずれかがユーザによって選択されると、入力部２３４はＵＲＩ指定部２０８に接続されている検索結果表示指示部２４６にその旨を通知する。検索結果表示部２４６は、その通知に従い検索結果表示部２４４に表示された検索結果の中のコンテンツＵＲＩ２４８をＵＲＩ指定部２０８に送る。
【００２９】
次に、第１の実施形態の処理方法を図３に示したフローチャートを参照して詳細に説明する。
【００３０】
コンテンツ表示プログラム２０６は、例えばＷＥＢブラウザのようなＨＴＭＬ文書を表示するアプリケーションである。ＷＥＢブラウザ以外にもインターネットから取得したＨＴＭＬ文書を表示できるプログラムであればよい。また、コンテンツ表示プログラム２０６に表示するコンテンツはＨＴＭＬ文書以外にもキーワードを抽出可能な言語で記述されたＷＥＢブラウザ等に表示可能な文書でもよい。
【００３１】
ブロック３０２で、ユーザの操作によってキーボード１０６またはタッチパッド１０８のような入力インタフェースからのＵＲＩ入力情報を受信したＵＲＩ指定部２０８からのＵＲＩに基づいてＨＴＭＬ文書取得部２１０がインターネット上のコンテンツ提供サーバ２０４からＨＴＭＬ文書２１２を取得する。
【００３２】
ブロック３０４で、コンテンツ表示部２１４がＨＴＭＬ文書取得部２１０からのＨＴＭＬ文書２１２を解釈し、解釈したＨＴＭＬ文書２１２に基づくコンテンツを、ＬＣＤ１０４のＷＥＢブラウザ上に表示する。
【００３３】
ブロック３０６で、コンテンツ読込監視部２１６がコンテンツ表示部２１４に表示されるコンテンツの表示の進捗状況を監視する。コンテンツ表示部２１４によって表示されるべきコンテンツが完全に表示されると、ブロック３０８でコンテンツ読込監視部２１６がその旨（コンテンツの表示完了）の通知を文書抽出部２１８に通知する。
【００３４】
ブロック３１０で、文書抽出部２１８がその旨の通知を受けると、文書抽出部２１８はコンテンツ表示部２１４で表示しているコンテンツのＨＴＭＬ文書を抽出する。文書抽出部２１８はその抽出したＨＴＭＬ文書２１２をキーワード抽出部２２０に送る。
【００３５】
ブロック３１２で、キーワード抽出部２２０は文書抽出部２１８から送られたＨＴＭＬ文書２１２を解析し、特徴的なキーワードを抽出する。具体的には、キーワード抽出部２２０がコンテンツの本文に対応するＨＴＭＬ文書２１２の箇所のテキストを抽出する。その抽出したテキストに対してキーワード辞書２２２を用いて形態素解析を行い、キーワードを抽出する。例えば、キーワード抽出部２２０はキーワード辞書２２２に含まれる単語に基づいて、言語として意味を持つ最小の単位である形態素に自然文であるテキストを分解する。キーワード辞書２２２には例えば形態素の品詞を判別できるような単語が記憶されている。形態素解析によって分解されたテキストの各形態素が抽出キーワードとなる。抽出キーワードは、例えばスコアの高い順で並べられる。スコアとは、例えば抽出キーワードの出現頻度の高さを表す。キーワードを並べる方法はスコアの高い順以外にも、スコアの低い順でもよい。また、抽出キーワードを並べ変えず、スコアに関係なく並べてもよい。
【００３６】
ブロック３１４で、形態素解析によって抽出され、例えばスコアによって並び替えられたキーワード２２４が抽出キーワード記憶部２２６に記録される。実際は、図４に示すように、抽出キーワード２２４と日時が抽出キーワード記憶部２２６に記録される。
【００３７】
日時はキーワード２２４が抽出された日時を表し、キーワード２２４はスコアが高いキーワードから順番に上から並べられている。図４で、例えば最もスコアが高いキーワードが「サッカー」であり、２番目にスコアが高いキーワードが「世界大会」である。図４には６つのキーワードが示されており、各キーワードは同時刻に抽出されたことが分かる。なお、抽出キーワード記憶部２２６に記録するキーワードは６つに限定されない。例えば、テキストから抽出されたキーワードがｎ個あった場合、抽出された全てのキーワードであるｎ個のキーワードを抽出キーワード記憶部２２６に記録してもよいし、記録するキーワードの上限数を設けてスコアの高いキーワードの内上位いくつかのキーワードを記録してもよい。また、抽出されたキーワードの日時が抽出されるキーワードによって異っていてもよい。抽出キーワード記憶部２２６に記録されるキーワードにはキーワードのカテゴリを示すような人名や地名などが属性情報として含まれていてもよい。以下、属性情報も含めてキーワードと称する。
【００３８】
ブロック３１６で、キーワード読出部２３０は抽出キーワード記憶部２２６へのキーワードの書込みの進捗状況を監視する。抽出キーワード記憶部２２６へのキーワードの書き込みが完了した場合、ブロック３１８でキーワード読出部２３０は抽出キーワード記憶部２２６から抽出キーワードを読み出す。
【００３９】
さらに、キーワード読出部２３０は検索キーワード記憶部２２８からもキーワードを読み出す。キーワード読出部２３０は抽出キーワード記憶部２２６及び検索キーワード記憶部２２８から読み出されたキーワードをキーワード表示部２３２に渡す。
【００４０】
ブロック３２０で、キーワード表示部はキーワード読出部２３０から受け取ったキーワードを表示する。このキーワードには抽出キーワード記憶部２２６及び検索キーワード記憶部２２８の双方から読み出されたキーワードを含む。
【００４１】
キーワード表示部２３２が表示する表示画面の一例を図５を参照して説明する。
【００４２】
図５は、第１の実施形態のＬＣＤ１０４に表示されるキーワードの表示画面例を示した図である。
【００４３】
ＬＣＤ１０４の表示画面上に例えばガジェット５０４としてキーワードが表示される。ガジェット５０４に表示される具体的な表示画面は抽出キーワード表示画面５０４１及び過去検索キーワード表示画面５０４２からなる。
【００４４】
抽出キーワード表示画面５０４１及び過去検索キーワード表示画面５０４２は、その上部に示されるタブによって切り替えられ、選択されたいずれかの画面が表示される。タブは、「抽出キーワード」及び「過去検索キーワード」の２つのタブから構成される。また、抽出キーワード表示画面５０４１及び過去検索キーワード表示画面５０４２に表示されるキーワードはボタンのラベルとして表示される。
【００４５】
具体的には、抽出キーワード表示画面５０４１では抽出キーワード記憶部２２６から読み出された抽出キーワードが表示される。表示されるキーワードは上述したようなスコアに基づいて並び替えられていてもよいし、抽出日時順でもよい。
【００４６】
過去検索キーワード表示画面５０４２では検索キーワード記憶部２２８から読み出された過去検索キーワードが表示される。詳細については図６（検索キーワード記憶部２２８の内容）を参照して後述するが、表示されるキーワードの順番は例えばキーワードが検索された日時に関して、日時の降順、つまり直近の過去検索キーワードをキーワードの一番上に表示する方法でもよい。さらに、過去検索キーワード表示画面５０４２でも上述したようなスコアに基づいて並び替えられた過去検索キーワードが表示されてもよい。
【００４７】
ブロック３２２で、ユーザが抽出キーワード表示画面５０４１または過去検索キーワード表示画面５０４２に表示されているいずれかのキーワードのボタンを上述したような入力インタフェースを用いて選択すると、入力部２３４がその旨の通知を受け取る。例えば抽出キーワード表示画面５０４１に示される抽出キーワードである「サッカー」がキーボード１０６によって選択された場合、入力部はその入力信号を受信する。次のＷｅｂページが読み込まれるまでは待機状態となる。
【００４８】
ブロック３２４及びブロック３２６で、入力部２３４はユーザによって選択されたキーワードをキーワード検索部２３６に通知する。キーワード検索部２６６は、例えばインターネット上のキーワード検索サーバ２４０にキーワード「サッカー」に関する情報を検索する検索クエリを発行する。また、キーワード検索サーバ２４０はインターネット上に必ずしもなくてもよい。例えばパソコン２０２にキーワードに関する情報を検索できるサーバと同等のソフトウェアが含まれる場合、そのソフトウェアを使用してもよい。さらに、ローカルネットワーク上に存在するようなキーワード検索サーバを使用してもよい。なお、図２では１つのキーワード２３８の検索クエリを発行することを想定しているが、複数のキーワードがユーザによって選択された場合、複数の検索クエリを発行してもよい。さらに、ブロック３２６では、キーワード検索サーバ２４０が検索クエリに基づいてキーワード「サッカー」に関する情報を検索する。
【００４９】
ブロック３２８で、キーワード検索部２３６は検索に使用したキーワード２３８を検索キーワード記憶部２２８に過去検索キーワードとして記録する。
【００５０】
図６は、検索キーワード記憶部２２８に記録されるデータの一例である。
【００５１】
図６に示されるように、検索キーワード記憶部２２８に記録されるデータは図４と同様に日時及びキーワードから構成される。日時に関しては、抽出キーワード記憶部２２６に記録されるキーワードとは異なり、抽出日時ではなく、当該キーワードにより検索が行われた日時が記録される。したがって、過去検索キーワードである「サッカー」と「競泳」の検索日時が異なる。なお、日時は検索日時ではなく、ユーザが当該キーワードを選択した時刻でもよい。また、図６に示されるように直近に検索に使用されたキーワードがデータの一番上にきてもよいし、直近のキーワードが一番下にくるようにしてもよい。
【００５２】
次に、図５に示される過去検索キーワード表示画面５０４２について詳細に説明する。過去検索キーワード表示画面５０４２には、検索キーワード記憶部２２８に記録された過去検索キーワードが表示される。図６では２つのキーワードが検索キーワード記憶部２２８に記録されていることを示しているが、２つ以上のキーワードが記録されていてもよい。図５は６つの過去検索キーワードが記録されることを示している。また、抽出キーワード表示画面５０４１及び過去検索キーワード表示画面５０４２の上部に示されるタブである「過去検索キーワード」とは、この表示画面は検索キーワード記憶部２２８に記憶された過去の検索に使用されたキーワードを表示することを意味する。
【００５３】
ブロック３３０で、キーワード検索部２３６によって発行された検索クエリに基づいて、キーワード検索サーバ２４０によって検索されたキーワード２３８に関する情報の検索結果２４２が検索結果表示部２４４に送られる。検索結果表示部２４４は、検索結果２４２に基づいた検索結果画面７０２を表示する。
【００５４】
検索結果表示部２４４によって表示される検索結果画面７０２の表示例を図７に示す。
【００５５】
図７では、検索結果画面７０２は抽出キーワード表示画面５０４１または過去検索キーワード表示画面５０４２の左隣にガジェットとして表示される。但し、検索結果画面７０２はガジェット以外にＷＥＢブラウザなどのＬＣＤ１０４に表示されるアプリケーションを使用して表示してもよい。なお、検索結果画面７０２は抽出キーワード表示画面５０４１または過去検索キーワード表示画面５０４２の左隣に必ずしも表示される必要はなく、ＬＣＤ１０４上の任意の場所に表示してもよい。図７の検索結果画面７０２には、選択したキーワードで「サッカー」に関する４つの検索結果項目７０２ｉ（ｉ＝１〜４）の情報が表示されているが、４つに限定する必要はない。検索結果７０２の検索結果項目７０２ｉはタイトル、スニペット、ＵＲＩから構成される。なお、検索結果項目の表示の順番は特に限定はされず、任意の順番でよい。
【００５６】
ブロック３３２で、ユーザが検索結果画面７０２中の何れかの検索結果項目７０２ｉを選択した場合、ブロック３３４で入力部２３４はユーザからの入力信号を受け取り、さらに検索結果表示指示部２４６に検索結果項目７０２ｉが選択されたことを通知する。ユーザが検索結果画面７０２のどの検索結果項目７０２ｉも選択しなかった場合、ブロック３２２に戻り、抽出キーワード表示画面５０４１または過去検索キーワード表示画面５０４２に示される何れかのキーワードがユーザによって選択されるのを一定時間待つ。ブロック３２２で他のキーワードが選択されると、そのキーワードによる検索が行われ（ブロック３２６）、図７の表示画面も連動して変わる（ブロック３３０）。
【００５７】
ブロック３３４で、検索結果表示指示部２４６はユーザによって選択された検索結果に対応したコンテンツＵＲＩ２４８（図７の検索結果項目７０２ｉを参照）をＵＲＩ指定部２０８に通知する。ＵＲＩ指定部２０８は上述したように指定したＵＲＩのＨＴＭＬ文書をコンテンツ提供サーバ２０４から取得するようにＨＴＭＬ文書取得部２１０通知する。
【００５８】
以上説明したように第１の実施形態によれば、ユーザがキーワード検索を行う際に必要な処理を自動的に行うことができる。例えば、従来は表示している文書から検索キーワードをユーザが検索ボックスにコピーすることでキーワード検索が行われたが、表示されているコンテンツから自動的に抽出されたキーワードをガジェットに常時表示しているので、その中からキーワードを選択するだけでよく、キーワードを入力する、コピーする等の煩雑な作業が不要で、表示しているコンテンツに関連する情報を検索することが可能となる。また、キーワードはガジェットとして表示しているので、コンテンツの表示画面をキーワードが隠すことがないため、ユーザのコンテンツ閲覧行為を邪魔することもない。また、ガジェットで表示されているため、抽出キーワードが自然と目に入り、ユーザが自分で検索を行う時には使わないようなキーワードにも興味をひかれ、検索を行うことにより、ユーザが入手する情報の幅を広げることが可能になる。また、現在閲覧しているコンテンツから抽出されたキーワードに加えて、過去に検索に使用したキーワードも表示することにより、そのキーワードが含まれているコンテンツを閲覧していない時でも、以前検索を行ったキーワードについて再度検索を行うことも可能になる。
【００５９】
他の実施形態について説明する。他の実施形態の説明において、第１の実施形態と対応する部分は同一の参照数字を付して詳細な説明は省略する。
【００６０】
［第２の実施形態］
次に第２の実施形態について説明する。
【００６１】
第１の実施形態では、抽出されたキーワードが抽出キーワード記憶部２６２に記憶され、抽出キーワード記憶部２６２から読み出された抽出キーワードの中から実際に検索に使用された過去検索キーワードが検索キーワード記憶部２２８に記憶される。一方、第２の実施形態では、抽出されたキーワードが抽出キーワード記憶部２６２に記憶されるのは同じであるが、抽出キーワード記憶部２６２から読み出された抽出キーワードが全て過去キーワード記憶部に記憶される。これ以外は第２の実施形態は第１の実施形態と同じである。
【００６２】
具体的に図８を参照して第２の実施形態のコンピュータ１０２を含んだ処理システムの構成について説明する。
【００６３】
過去キーワード記憶部８０４はキーワード抽出部２２０、抽出キーワード記憶部８０２及びキーワード読出部２３０に接続されている。キーワード抽出部２２０は抽出キーワード記憶部８０２にデータが記憶されているかどうか確認する。ここで述べるデータは少なくともキーワードを含むデータである。詳細については後述するが、例えばデータはキーワードを抽出した日時、抽出されたキーワードの中でどのキーワードが検索に使用されたかどうかを示す検索情報も含む。抽出キーワード記憶部８０２にデータが記憶されている場合、キーワード抽出部２２０はそのデータを過去キーワード記憶部８０４にコピーし、抽出キーワード記憶部８０２のデータを消去する。その後、キーワード抽出部２２０は文書抽出部２１８から送られてきたＨＴＭＬ文書２１２の形態素解析を行いキーワード２２４を抽出する。抽出されたキーワードは抽出キーワード記憶部８０２に記憶される。
【００６４】
次に図９を参照して抽出キーワード記憶部８０２に記録されるデータについて説明する。
【００６５】
図９は、第２の実施形態における抽出キーワード記憶部８０２に記録されるデータの一例である。データは左の列からキーワードが抽出された日時、抽出されたキーワード、及びそのキーワードが検索に使用されたかどうかを示す検索フラグから構成される。日時及びキーワードについては第１の実施形態と同様である。検索フラグは、あるキーワードに関してそのキーワードが実際に検索に使用されたかどうかを示す。例えば、キーワード「サッカー」が検索に使用された場合、「サッカー」の検索フラグを「１」とする。また、キーワード抽出部２２０からキーワードが送られてきた時点では、図９に示すように各キーワードの検索フラグは「０」である。但し、キーワード抽出部２２０からキーワードが送られてきた時点で各キーワードの検索フラグが「１」であってもよい。さらに、「０」や「１」に限らず検索されたかどうかが分かるものであればよい。なお、抽出キーワード記憶部８０２に記録されるデータには検索フラグは無くてもよいが、ここでは、抽出キーワード記憶部８０２と過去キーワード記憶部８０４が同じ形式のデータを記憶できるという便宜上、検索フラグを設けた。
【００６６】
図１１は、第２の実施形態における過去キーワード記憶部８０４に記録されるデータの一例を示した図である。データは左の列から日時、キーワード、検索フラグから構成される。日時、検索フラグは図９の定義と同じである。図１１はサッカーというキーワードが異なる日時に抽出されたことを示しており、１行目のキーワード「サッカー」は検索に使用されたキーワード（検索フラグが「１」）であり、３行目のキーワード「サッカー」は抽出されたが検索に使用されていないキーワード（検索フラグが「０」）であることを示す。
【００６７】
図８に戻り、キーワード表示部８０５はキーワード読出部８０１を介して抽出キーワード記憶部８０２及び過去キーワード記憶部８０４に接続されている。キーワード表示部８０５はキーワード読出部８０１によって抽出キーワード記憶部８０２及び過去キーワード記憶部８０４から読み出された図９、図１１に示すようなデータに基づいた情報をＬＣＤ１０４に表示する。表示方法は第１の実施形態と同様である。但し、第１の実施形態と異なり過去検索キーワード表示画面５０４２の代わりに、図１０に示される過去キーワード表示画面５０４３がガジェット５０４に表示される。
【００６８】
図１０は、第２の実施形態におけるキーワード表示部８０５によってガジェット５０４に表示される過去に抽出したキーワードを表示する過去キーワード表示画面５０４３を示す一例である。第１の実施形態と同様に、タブによって抽出キーワード表示画面及び過去キーワード表示画面を切り替えることができる。第２の実施形態では、検索フラグが「１」のキーワード、つまり検索に使用されたキーワードに対応するキーワードのボタンにとともに、検索に使用されたことを示す検索マーク（図１０では虫眼鏡で示される）が表示される。図１０では、キーワード「サッカー」及び「競泳」のボタンの右側に検索マークが示されている。なお、この検索マークは検索に使用されたキーワードであることが分かるマークであれば何でもよい。
【００６９】
再び図８に戻り、ガジェット５０４に表示されている何れかのキーワードがユーザによって選択された場合、キーワード検索部８０６はキーワード検索サーバ２４０にユーザによって選択されたキーワードの検索クエリを発行するとともに、抽出キーワード記憶部８０２にユーザによって選択されたキーワードの検索フラグを「１」にする指示を発行する。
【００７０】
以上説明したように、第２の実施形態によれば、抽出キーワードに加えて、過去に検索に使用したキーワードだけでなく、検索には使用していないが過去に閲覧したコンテンツから抽出したキーワードが過去キーワードとして表示されるため、ユーザがこれまで検索に使用していなかったキーワードによる検索も行うことが可能になり、ユーザが過去には興味を持たなかったキーワードについても検索を行うことができるようになる。
【００７１】
［第３の実施形態］
次に第３の実施形態について説明する。上述の実施形態と同様の構成や機能については説明を省略する。
【００７２】
第３の実施形態では第１、第２の実施形態とは異なり、図１２に示されるようなスレートＰＣ１２０２として実施される。また、第３の実施形態はキーワードの表示態様が上述の実施形態とは異なる。その他については、第３の実施形態は第１、第２の実施形態と同じである。
【００７３】
図１２は、第３の実施形態における情報処理端末の外観の一例を示す図である。スレートＰＣ１２０２はモニタ１２０４、複数、例えば３つの操作スイッチ１２０６、１２０７、１２１０から構成される。なお、操作スイッチ１２０６、１２０７、１２１０のいずれかはハードウェアとして設けられるのではなく、アプリケーション上で表示されてもよい。操作スイッチは３つに限定されない。
【００７４】
次に、第３の実施形態の処理システムの構成について図１３を参照して説明する。図１３は、スレートＰＣ１２０２を含む第３の実施形態のシステム構成を示すブロック図である。ユーザが操作スイッチ１２０６、１２０７、または１２１０を使用するか、またはモニタ１２０４に指などで触れることでモニタ１２０４に表示させるコンテンツのＵＲＩを指定し、指定されたＵＲＩをＵＲＩ指定部１３０８が受信する。例えば、ユーザがモニタ１２０４に表示されるＷＥＢブラウザのアドレスバーへの文字入力やハイパーテキストのリンクをクリックすることによってＵＲＩを指定し、ＵＲＩ指定部１３０８がそれを受信する。
【００７５】
また、コンテンツ読込監視部１３１６はコンテンツ表示部２１４に表示されるコンテンツの表示の進捗状況を監視するが、ＨＴＭＬ文書取得部２１０から送られてきたＨＴＭＬ文書２１２に基づく全てのコンテンツの表示が完了したことはＷＥＢブラウザのプラグインによって監視してもよい。同様に、文書抽出部１３１８によるＨＴＭＬ文書の抽出手段に関してもＷＥＢブラウザのプラグインを使用してもよい。
【００７６】
上述の実施形態では抽出キーワード記憶部２６２、８０２には抽出キーワードが上書きされ、以前の抽出キーワードは消去されるが、第３の実施形態では抽出キーワード記憶部１３０２に記録されたキーワードを消去せずに、キーワード抽出部１３２０から送られてくるキーワード２２４を抽出キーワード記憶部１３０２に書き込む前に、抽出キーワード記憶部１３０２の記憶データを過去キーワード記憶部１３０４へコピーする。検索結果記憶部１３３４に記録される情報は、検索結果表示部２４４に表示された検索されたキーワードの検索結果２４２に基づくＷＥＢページのタイトル、スニペット、及びコンテンツ表示プログラム２０６に表示されるコンテンツのＵＲＩである。
【００７７】
過去キーワード記録部１３０４に記録されるキーワードは、実際には図１６に示されるようなデータテーブルに含まれている。
【００７８】
図１６は、左の列からキーワード、そのキーワードが抽出された日時、検索フラグを示している。検索フラグは、第２の実施形態で説明した「０」または「１」の代わりに「ｆａｌｓｅ」または「ｔｒｕｅ」を使用している。さらに、抽出日時の異なるキーワードが同じデータテーブルに記録されている。抽出日時は降順で示されているが、昇順でデータテーブルに記録されていてもよい。抽出キーワード記憶部１３０２に記録されるデータも図１６と同様である。
【００７９】
次に、図１４及び図１５のフローチャートを参照して第３の実施形態の処理方法について説明する。
【００８０】
図１４は図３のフローチャートのキーワード記録ブロック３１４に関する処理である。ブロック１４０２で、コンテンツ表示部２１４による表示すべき全てのコンテンツが表示されたことがコンテンツ読込監視部１３１６により確認される。ブロック１４０４で、文書抽出部１３１８はＨＴＭＬ文書２１２を抽出する。ブロック１４０６で、キーワード抽出部１３２０は、抽出されたＨＴＭＬ文書２１２からキーワード２２４を抽出する。ブロック１４０８で抽出キーワード記憶部１３０２に記録されているキーワードを過去キーワード記憶部１３０４にコピーする。ブロック１４１０で、キーワード抽出部１３２０によって抽出されたキーワード２２４を抽出キーワード記憶部１３０２に記録する。
【００８１】
第１、第２の実施形態ではキーワードの抽出が完了すると、ガジェットとして常時表示されるが、画面が小さいことが想定されるスレートＰＣに関する第３実施形態ではキーワードの常時表示は行わない。キーワードはユーザの指示により表示される。そのため、図１５のブロック１５０２で、ユーザが操作スイッチ１２０６、１２０７、または１２１０を使用するか、またはモニタ１２０４に指などで触れることで入力部２３４がキーワード表示部１３３２にキーワードを表示する機能を呼び出す。ブロック１５０４で、キーワード読出部１３３０は抽出キーワード記憶部１３０２からキーワードを読出し、その後ブロック１５０６で、過去キーワード記憶部１３０４からキーワードを読み出し、ブロック１５０８でキーワード表示部１３３２が読み出した両方のキーワードをモニタ１２０４に表示する。
【００８２】
この後は第１実施形態のフローチャート（図３）のブロック３３２以降と同様に、ブロック１５１０でキーワード選択の有無を判定する。キーワードが選択された場合、ブロック１５１２でそのキーワードによる検索が行われ、ブロック１５１４で検索結果が表示される。ブロック１５１６でいずれかの検索結果が選択されたか否かを判定する。いずれかの検索結果が選択されると、ブロック１５１８で選択された検索結果に対応したコンテンツＵＲＩをＵＲＩ指定部１３０８に通知し、指定したＵＲＩのＨＴＭＬ文書をコンテンツ提供サーバ２０４から取得するようにＨＴＭＬ文書取得部２１０に通知する。
【００８３】
次に、キーワード表示部１３３２及び検索結果表示部２４４によってモニタ１２０４に表示するキーワードの表示態様について図１７及び図１８を参照して説明する。
【００８４】
図１７は、第３の実施形態におけるキーワードを表示する表示画面の一例を示した図である。第３の実施形態では第１の実施形態及び第２の実施形態とは異なり、コンテンツの表示画面の一部にガジェットとしてキーワードを表示するのではなく、コンテンツの表示画面全体がキーワードの表示画面に切り替えられる。そのため、抽出したキーワード及び過去に抽出したキーワードが表示を切り替えることなく同一の画面に同時に表示される。表示画面は３つの領域から構成される。具体的には、表示画面は左上に示され、抽出キーワード記憶部１３０２から読出したキーワードを表示する「いま抽出したキーワード」領域、左下に示され、過去キーワード記憶部１３０４から読み出したキーワードを表示する「むかし抽出したキーワード」領域、及びこれら両方の領域の右側に示され、何れかの領域に示されるキーワードがユーザによって選択されることに応じて表示される「検索結果」領域から構成される。
【００８５】
「いま抽出したキーワード」及び「むかし抽出したキーワード」領域にリスト状に表示される各々のキーワードは図１６に示されるデータテーブルの抽出日時に基づいて表示される。したがって、抽出日時が降順であれば「いま抽出したキーワード」及び「むかし抽出したキーワード」領域に表示されるキーワードも降順である。但し、必ずしも抽出日時に基づいてキーワードが並べられている必要はなく、何らかの指標に基づいて並べてもよい。例えば、第１の実施形態のようにスコア順に並べてもよい。
【００８６】
「むかし抽出したキーワード」領域に表示される幾つかのキーワードには、実際に検索に使用されたことを示す検索マーク（図１７では虫眼鏡のマーク）が表示されている。この検索マークは図１６の検索フラグが「ｔｒｕｅ」であるキーワードに対して表示される。
【００８７】
図１７においてキーワード「サッカー」が選択されると、画面は図１８に示すように変化する。
【００８８】
「いま抽出したキーワード」領域のキーワード「サッカー」がユーザによって選択された場合、「検索結果」領域に、図７と同様にキーワード「サッカー」の検索結果が検索結果表示部２４４によって表示される。検索結果の各検索結果項目は、ＷＥＢページのタイトル、スニペット、及びコンテンツ表示プログラム２０６に表示されるコンテンツのＵＲＩから構成される。
【００８９】
なお、第３の実施形態では図１７または図１８に示される表示画面をスレートＰＣ１２０２のモニタ１２０４の領域全てに表示するとしたが、図１７または図１８に示される表示画面のサイズを変更することによりモニタ１２０４の一部の領域に表示すること、すなわち、上述した実施形態のようにガジェットとして表示することも可能である。
【００９０】
以上説明したように第３の実施形態によれば、現在閲覧しているコンテンツから抽出した「いま抽出したキーワード」、過去に閲覧したコンテンツから抽出した「むかし抽出キーワード（実際に検索に使用したキーワードは他とは識別可能に表示）」、及びユーザによって選択されたキーワードによる「検索結果」を同時にユーザが見ることができる。そのため、上述した実施形態のようにタブを使用しキーワード表示画面を切り替える必要がなく、キーワード選択の操作性が向上する。また、ユーザの指示によって図１７または図１８に示される表示画面を表示させることができるので、ユーザがキーワード検索を行いたい時にモニタ１２０２に図１７または図１８に示される表示画面を表示させることができる。そのため、画面が小さい装置においても、コンテンツの表示を妨害せずに、キーワードを表示することができる。
【００９１】
［第４の実施形態］
次に第４の実施形態について説明する。上述の実施形態と同様の構成や機能については説明を省略する。
【００９２】
第４の実施形態は、第１、第２、第３の実施形態の変形に関するもので、キーワード表示画面にキーワードを表示するとともに、検索対象のカテゴリも表示する。表示されたキーワードのカテゴリをユーザが選択することで、選択したカテゴリ内で検索が実施される。このため、検索の効率が向上する。
【００９３】
具体的に、図１９を参照して説明する。図１９は第４の実施形態においてキーワードを表示する画面を示す図である。
【００９４】
一例として第１の実施形態で説明した図５の変形を図１９に示す。抽出キーワード表示画面１９０２１及び過去検索キーワード表示画面１９０２２が図５の抽出キーワード表示画面５０４１及び過去検索キーワード表示画面５０４２に対応する。したがって、抽出キーワード表示画面１９０２１及び過去検索キーワード表示画面１９０２２は、抽出キーワード表示画面１９０２１及び過去検索キーワード表示画面１９０２２の各々の上部に表示されたタブをユーザが選択することによって切り替えられる。また、抽出キーワード表示画面１９０２１及び過去検索キーワード表示画面１９０２２はＬＣＤ１０４に表示されるガジェット５０４に表示される。但し、図１９ではキーワードの他にそのキーワードが検索されるカテゴリが表示される。
【００９５】
例えば、抽出キーワード表示画面１９０２１において、キーワード「サッカー」の右側に検索対象のカテゴリ「動画」、「写真」、「買物」が表示されている。具体的には、ユーザが動画のカテゴリ内でサッカーに関する情報を検索したい場合、ユーザは「サッカー」の右側に表示された「動画」のボタンを選択すればよい。
【００９６】
また、過去検索キーワード表示画面１９０２２では上述した抽出キーワード表示画面１９０２１と同様の表示方法に加え、第２の実施形態で説明したように検索に使用したキーワードまたは検索したカテゴリを示す検索マーク（図１９では虫眼鏡）が表示される。例えば、あるカテゴリについてのみ検索が行われた場合は、当該カテゴリに検索マークが表示され（例えば、サッカーの動画カテゴリ、バタフライの写真カテゴリ）、カテゴリを指定せずに検索が行われた場合は、キーワードに検索マークが表示されている（例えば、競泳、金メダル）。
【００９７】
なお、検索対象のカテゴリは図１９に示すような動画、写真、及び買物以外にも、地図、音楽、または歴史などのカテゴリが表示されてもよい。また、各キーワードのカテゴリの表示位置は各キーワードの右側ではなく左側、上側、または下側でもよい。さらに、各キーワードに対応するカテゴリは他のキーワードに対応するカテゴリと同じである必要はなく、キーワードごとに他のキーワードとは異なるカテゴリを表示してもよい。また、表示されるキーワード数、カテゴリ数は図１９の例に限定されない。
【００９８】
ここまで、第４の実施形態のキーワード等の表示画面について説明した。
【００９９】
次に第４の実施形態固有の処理システムについて説明する。なお、第４の実施形態のシステム構成は第１の実施形態の説明で使用した図２と同じであるので、図２を参照して説明する。
【０１００】
上述したように、ユーザが抽出キーワード表示画面１９０２１または過去検索キーワード表示画面１９０２２に表示される何れかのカテゴリを選択した場合、キーワード検索部２３６は選択されたカテゴリに対応するキーワード、すなわち図１９に示すように選択されたカテゴリの左側に表示されているキーワードに関する情報を選択されたカテゴリ内で検索する検索クエリを発行する。発行された検索クエリはキーワード検索サーバ２４０に送られ、選択されたカテゴリ内でキーワード検索が実行される。なお、キーワード検索サーバ２４０が複数存在する場合、各キーワード検索サーバ２４０が抽出キーワード表示画面１９０２１または過去検索キーワード表示画面１９０２２に表示される複数のカテゴリに対応したサーバを設け、それぞれ各カテゴリに対応したサーバでキーワード検索を実行してもよい。
【０１０１】
検索キーワード記憶部２２８に記録されるデータについて図２０を参照して説明する。
【０１０２】
図２０は、第４の実施形態における検索キーワード記録部２２８に記録されるデータを示した図である。データはキーワード検索が実施された日時、検索に使用されたキーワード、及び検索が行われたカテゴリから構成される。なお、カテゴリに関するデータは１つだけではなく、複数のカテゴリに関するデータを記録可能に構成されていてもよい。例えば、図２０はキーワード「サッカー」について動画のカテゴリで検索が行われたことを示している。
【０１０３】
検索キーワード記憶部２２８に記録されるデータにカテゴリの種別も記録することで、検索に使用したキーワードまたは検索のカテゴリを示す検索マークが過去検索キーワード表示画面１９０２２に表示される。
【０１０４】
第４の実施形態を第１の実施形態の変形例として説明したが、図７に示した第２の実施形態、図１８で説明した第３の実施形態の変形としても実施可能である。
【０１０５】
以上説明したように第４の実施形態によれば、キーワードとともに検索対象のカテゴリを表示するので、ユーザはカテゴリの何れか１つのボタンを選択するだけで選択したカテゴリ内でキーワードに関する情報を検索することがき、ユーザはカテゴリを絞って効率的に検索を行うことができる。
【０１０６】
［第５の実施形態］
次に第５の実施形態について説明する。上述の実施形態と同様の構成や機能については説明を省略する。
【０１０７】
第１〜第４の実施形態は、コンテンツを表示している情報処理装置で抽出されているキーワードとともに、当該装置で過去に抽出され、および／または実際に検索に使用されたキーワードを記憶するが、第５の実施形態は、他の機器において抽出され、および／または実際に検索に使用されたキーワードを含むデータの共有ができる情報処理システムを提供する。これは、同一のユーザが複数種類の端末でコンテンツを閲覧する場合等、有用である。例えば、テレビ番組を視聴後、その番組に関する情報をインターネット上で検索する場合がある。
【０１０８】
具体的に、図２１を参照して説明する。図２１は第５の実施形態における複数の端末を含む情報処理システムを示した図である。複数の端末はモバイル端末２１０２、第１、第２の実施形態のコンピュータ１０２、及び第３のスレートＰＣ１２０２等である。ここでは、コンピュータ１０２が他の端末からキーワードを収集するホスト的な機器として説明するが、他の端末も同様に自分以外の他の端末からキーワードを収集する機能を有する。モバイル端末２１０は、例えばスマートフォンや携帯電話などである。モバイル端末２１０の詳細は図示しないが、コンピュータ１０２と同じ構成を有する。モバイル端末２１０２及びコンピュータ１０２は、外部のネットワーク、例えばインターネット、にある履歴管理サーバ２１０６を介して接続されている。履歴管理サーバ２１０６には過去キーワード記憶部２１０８が含まれる。また、キーワード抽出部２２０、１３２０はキーワードを履歴管理サーバ２１０６に送るとともに、当該キーワードがどの機器で抽出されたかを示す情報であるデバイス情報２１０４も履歴管理サーバ２１０６に送る。
【０１０９】
抽出キーワード記憶部２１１０に記憶されるデータには機器の種別を示すデバイス情報が含まれる。このデータに関して図２２を参照して説明する。図２２は、第５の実施形態における抽出キーワード記憶部２１１０に記録されるデータの一例を示す。図２２のデータは、左の列からキーワードが抽出された日時または検索が行われた日時、抽出されたキーワード、検索フラグ、キーワードが抽出または検索が行われた機器（以下、端末と称す）を示している。なお、端末に関するデータは１つだけではなく、複数の端末に関するデータを記録可能に構成してもよい。図２２に示される各キーワードに対応した端末はコンピュータ１０２を意味するＰＣが示されている。つまり、図２２に示される全てのキーワードがコンピュータ１０２で抽出されたことを示す。
【０１１０】
次に、第５の実施形態におけるキーワードの表示画面について図２３を参照して説明する。
【０１１１】
図２３は、第５の実施形態における複数の端末の種別を含むキーワードの表示画面を示した一例である。図２３では、例えば３つの端末によってキーワードが抽出または検索されたことを示している。具体的には、コンピュータ１０２を表す端末種別マーク２３０２、スレートＰＣ１２０２を表す端末種別マーク２３０４、デスクトップパソコンを表す端末種別マーク２３０６が端末種別マークとして示されている。図２１には示していないが、デスクトップパソコンも本実施形態の端末として履歴管理サーバ２０１６に接続可能である。デスクトップパソコンの詳細は図示しないが、コンピュータ１０２と同じ構成を有する。各マークは図２２の端末の項目に示される情報に基づいて表示される。つまり図２２の端末の項目がＰＣであればコンピュータ１０２を表す端末種別マーク２３０２が表示される。例えば、図２３の過去キーワード「サッカー」はコンピュータ１０２及びスレートＰＣ１２０２によって過去に抽出されたことを示すために、端末種別マーク２３０２（コンピュータ１０２）及び端末種別マーク２３０４（スレートＰＣ１２０２）が「サッカー」のボタンの右側に表示されている。さらに、「サッカー」のボタンには虫眼鏡のマークが表示されているが、これは「サッカー」がキーワードとして検索されたことを示す。
【０１１２】
なお、各端末種別マークはどの端末でキーワードが抽出または検索されたかが分かればよく、図２３のマークに限定されない。
【０１１３】
なお、図２１において過去キーワード記憶部２１０８が端末の外部にある履歴管理サーバ２１０６に接続されるのではなく、自端末（コンピュータ１０２）の内部にあってもよい。この場合、履歴管理サーバ２１０６を介せず複数の機器間で各機器が抽出または検索したデータを同期するとよい。
【０１１４】
また、文書抽出部２１８が抽出する文書はＨＴＭＬ文書に限らない。例えば、テレビの番組表に含まれるキーワードを抽出可能な文書であってもよい。
【０１１５】
以上説明したように第５の実施形態によれば、ある機器により抽出されたキーワードが他の機器でも表示される。そのため、ユーザは機器の違いを問わず抽出したキーワードを再度利用して検索することができる。すなわち、ある機器で閲覧したコンテンツに含まれるキーワードを、それとは異なる機器で利用して検索クエリを作成し、キーワードに関する情報検索することができる。例えば、テレビ番組を視聴した場合、そのテレビ番組に含まれるテレビ番組表からキーワードが抽出され、他の機器が当該抽出キーワードの情報を共有していれば、ユーザはテレビ番組の視聴後に、他の端末、例えばモバイル端末、でテレビ番組に関連する情報を検索することができる。
【０１１６】
［第６の実施形態］
次に第６の実施形態について説明する。上述の実施形態と同様の構成や機能については説明を省略する。
【０１１７】
第６の実施形態は、第５の実施形態の変形に関するものである。第５の実施形態では、抽出キーワード記憶部２１１０が各端末内にあるが、第６の実施形態では、抽出キーワード記憶部は端末内ではなく、外部のサーバ上にある。このため、第５の実施形態では他の機器で現在抽出されているキーワードは共有できないが、第６の実施形態では他の機器で現在抽出されているキーワードも共有でき、キーワードを抽出した機器以外の機器でも抽出キーワードを表示することができる。これ以外は、第６の実施形態は第５の実施形態と同じである。
【０１１８】
図２４は第６の実施形態における複数の機器を含む情報処理システムを示した図である。履歴管理サーバ２４００に過去キーワード記憶部２１０８及び抽出キーワード記憶部２４０２の両方が含まれる。また、キーワード読出部２４０４は抽出キーワード記憶部２４０２及び過去キーワード記憶部２１０８に記録されたキーワードを履歴管理サーバ２４００を介して読み出す。したがって、第５の実施形態とは異なり、各機器で抽出されたているキーワードが他の機器でも表示できる。各機器で抽出されたキーワードを記録したキーワードを他の機器で表示できることは第５の実施形態と同様である。図２４ではモバイル端末２１０２及びスレートＰＣ１２０２を含む情報処理システムを示しているが、第５の実施形態と同様にモバイル端末２１０２及びコンピュータ１０２を含む情報処理システムであってもよい。
【０１１９】
過去キーワード記憶部２１０８及び抽出キーワード記憶部２４０２に記録されるデータについて図２５を参照して説明する。
【０１２０】
図２５は、第６の実施形態において過去キーワード記憶部２１０８に記録されるデータの一例を示す図である。データは左側から抽出または検索されたキーワード、キーワードの抽出時刻、検索フラグ、端末の項目から構成される。第５の実施形態で説明した図２２と異なり、検索フラグは、キーワードが検索された場合は「ｔｒｕｅ」を示し、キーワードが検索されなかった場合は「ｆａｌｓｅ」を示す。
【０１２１】
抽出キーワード記憶部２４０２に記録されるデータも図２５と同様である。
【０１２２】
次に、第６の実施形態におけるキーワードの表示画面について図２６を参照して説明する。
【０１２３】
図２６は、第６の実施形態におけるキーワードの表示画面の一例を示した図である。第３の実施形態で説明した図１７と同様に、表示画面は左上の「いま抽出したキーワード」領域、左下の「むかし抽出したキーワード」領域、及びこれら両方の領域の右側に表示される「検索結果」領域から構成される。「むかし抽出したキーワード」領域に表示される幾つかのキーワードのボタンには、実際に検索に使用されたことを示す検索マーク（図２６では虫眼鏡のマーク）が表示されている。この検索マークは図２５の検索フラグが「ｔｒｕｅ」であるキーワードに対して表示される。さらに、「いま抽出したキーワード」領域、「むかし抽出したキーワード」領域の各キーワードのボタンにはどの機器で抽出されたかを示す端末種別マークが表示されている。
【０１２４】
以上説明したように、第６の実施形態によれば、他の機器で現在抽出されているキーワードも、他の機器で過去に抽出されたキーワードを共有することができるので、多数のキーワードの中からユーザの興味があるキーワードを選択することができ、種々の情報を効率よく検索することができる。
【０１２５】
［第７の実施形態］
次に第７の実施形態について説明する。上述の実施形態と同様の構成や機能については説明を省略する。
【０１２６】
第７の実施形態は第５、第６実施形態の変形に関するものであり、上記実施形態の機能に加えて、各機器が閲覧した履歴を他の機器と共有することができる情報処理システムを提供する。具体的に図２７を参照してそのシステムについて説明する。
【０１２７】
図２７は、第７の実施形態における複数の機器を含む情報処理システムの一例を示す図である。履歴情報管理サーバ２７０４は複数の端末、例えばモバイル端末２１０２及びコンピュータ１０２と接続されている。また、履歴情報管理サーバ２７０４は各機器が閲覧したＵＲＩを記録するコンテンツ閲覧履歴記憶部２７０６を含む。コンテンツ読込監視部２７１２はコンテンツ表示部２１４によるコンテンツの表示の進捗状況を監視するが、表示されるべきコンテンツの表示が完了すると文書抽出部２１８にその旨を送るとともに、履歴情報管理サーバ２７０４に閲覧履歴２７０２を送り、コンテンツ閲覧履歴記憶部２７０６に閲覧したＵＲＩを含む閲覧履歴２７０２を記録する。同様に、モバイル端末２１０２も閲覧した閲覧履歴２７０２を履歴情報管理サーバ２７０４に送る。キーワード読出部２４０４は、抽出キーワード記憶部２１１０及び履歴情報管理サーバ２７０４に接続されており、抽出キーワード記憶部２１１０、過去キーワード記憶部２１０８、及び閲覧ＵＲＩ記憶部から抽出キーワード、過去キーワード、及び閲覧されたＵＲＩをそれぞれ読み出す。なお、ここではモバイル端末２１０２及びコンピュータ１０２とから構成される情報処理システムを示しているが、例えばモバイル端末２１０２及びスレートＰＣ１２０２のような他の情報処理機器から構成される情報処理システムでもよい。
【０１２８】
次に、コンテンツ閲覧履歴記憶部２７０６に記録されるデータの一例について図２８を参照して説明する。
【０１２９】
図２８は、第７の実施形態において各機器が閲覧したＵＲＩを含む閲覧履歴データの一例を示した図である。データは、左側から閲覧日時、コンテンツ表示部２１４に表示しユーザが閲覧したコンテンツのタイトル、閲覧したコンテンツのＵＲＩ、コンテンツを閲覧した機器情報を示す端末の項目から構成される。例えば、コンピュータ１０２が「「サッカー」とは」というタイトルで、そのＵＲＩが…world…であるコンテンツを2010年11月24日11時15分30秒に閲覧したことが示されている。
【０１３０】
次に、図２９を参照し第７の実施形態のコンテンツ閲覧履歴記憶部２７０６に記録された前述のデータに基づく表示画面の一例について説明する。
【０１３１】
図２９は、第７の実施形態における各機器の閲覧履歴の表示画面の一例を示す図である。上述した実施形態と同様に表示画面の上部にタブが表示され、抽出キーワード、過去キーワード、及び閲覧ＵＲＩを切り替えることができる。閲覧ＵＲＩのタブをユーザが選択すると、閲覧ＵＲＩ記憶部２７０６に記録された図２８に示されるようなデータに基づいて、各機器が閲覧したコンテンツのタイトル、ＵＲＩ、及びどの端末で閲覧したかを示すマークがラベルやボタンとして表示される。
【０１３２】
図２７に戻り、ユーザが図２９に示される閲覧ＵＲＩの何れかのラベルまたはボタンを選択すると、入力部２７１２がその信号を受信し、検索結果閲覧指示部２４６にその旨を通知する。検索結果閲覧指示部２４６はユーザによって選択された閲覧ＵＲＩをＵＲＩ指定部２０８に送る。これにより、選択された閲覧ＵＲＩに基づいたウェブページが表示される。
【０１３３】
なお、図２９に示されるように閲覧ＵＲＩの表示順番は図２８に示される日時に基づいたものでもよいが、それ以外にも任意の指標やスコアに基づいた順番で表示してもよい。
【０１３４】
以上説明したように、第７の実施形態によれば、他の機器で閲覧されたＵＲＩ等の閲覧履歴情報も共有することができるので、機器を問わず閲覧履歴を参照することができ、ある機器で過去に閲覧したコンテンツを他の機器で再度閲覧することができる。
【０１３５】
［第８の実施形態］
次に第８の実施形態について説明する。上述の実施形態と同様の構成や機能については説明を省略する。
【０１３６】
第８の実施形態は第７実施形態の変形に関する。第７実施形態は第１、第２、第４実施形態と同様にパソコン１０２に関する実施形態であるが、第８実施形態は第３、第６実施形態と同様にスレートＰＣ１２０２に関する実施形態である。すなわち、第７実施形態では、図２９に示すようにガジェットとしてキーワードを常時表示し、タブを使用して表示画面を切り替えるのではなく、図１８等に示すように、コンテンツ表示画面をキーワード・閲覧履歴表示画面に切り替え、同一の画面に表示し、各機器で閲覧した閲覧履歴を他の機器で表示する。
【０１３７】
具体的に図３０を参照してその処理手段について説明する。
【０１３８】
図３０は、第８の実施形態における複数の機器を含む処理システムの一例を示す図である。コンテンツ表示部３０１２は閲覧履歴記憶部３００６を介して閲覧履歴抽出部３００８と接続されている。閲覧履歴抽出部３００８は、過去キーワード記憶部２１０８、抽出キーワード記憶部３００４、及びコンテンツ閲覧履歴記憶部３００５を含む閲覧情報履歴サーバ３００２に接続されている。また、閲覧履歴表示部３００９は入力部２７１２と接続されており、また閲覧履歴読出部３００７を介して閲覧情報履歴サーバ３００２に接続されている。
【０１３９】
閲覧履歴記憶部３００６が、ＷＥＢブラウザなどのコンテンツ表示プログラム２０６を使用して表示されたＷＥＢページなどの閲覧履歴をデータテーブル形式で記録する。閲覧履歴抽出部３００８は閲覧履歴記憶部３００６のデータテーブルが更新されたことを示す信号を受けると、その更新された閲覧履歴を履歴情報管理サーバ３００２に記憶する。
【０１４０】
図３２は、コンテンツ閲覧履歴記憶部３００５に記憶された閲覧履歴のデータテーブルの一例を示した図である。データテーブルは左の列から、閲覧したタイトル、閲覧したコンテンツのテキストの抜き書きであるスニペット、閲覧したコンテンツのＵＲＩ、閲覧した時刻を示す閲覧時刻、端末の項目から構成される。
【０１４１】
次に、図３１を参照し第８の実施形態のキーワード・閲覧履歴の表示画面例について説明する。
【０１４２】
図３１は、閲覧履歴表示ボタン３１０２を含む表示画面の一例を示す図である。閲覧履歴表示ボタン３１０２は「むかし抽出したキーワード」領域の下側に表示される。なお、閲覧履歴表示ボタン３１０２の表示位置はこの位置に限らず、例えば「いま抽出したキーワード」領域の上側でもよい。
【０１４３】
次に図３３を参照し、ユーザによって閲覧履歴表示３１０２のボタンが選択された場合の閲覧履歴の表示について説明する。
【０１４４】
ユーザによって閲覧履歴表示３１０２のボタンが選択されたことを示す信号を入力部２７１２が受信すると、閲覧履歴読出し部３００７によって閲覧情報履歴サーバ３００２の各記憶部に記録された図３２に示されるデータテーブルが読み出され、それに基づいて閲覧履歴表示部３００９が図３３の右側の領域「閲覧履歴」に閲覧履歴項目を表示する。閲覧履歴の各項目３３０２ｉ（ｉ＝１〜４）は、閲覧したコンテンツのタイトル、スニペット、ＵＲＩ、及びそのコンテンツを閲覧した機器を示すマークから構成される。
【０１４５】
なお、「閲覧履歴」領域に閲覧履歴項目が表示されている時に、例えば「いま抽出したキーワード」の何れかのキーワードが選択された場合、「閲覧履歴」領域は図１８の右側の領域に示されるように選択されたキーワードの「検索結果」領域に切り替えられる。
【０１４６】
以上説明したように第８の実施形態によっても、他の機器で閲覧されたＵＲＩ等の閲覧履歴情報も共有することができるので、機器を問わず閲覧履歴を参照することができ、ある機器で過去に閲覧したコンテンツを他の機器で再度閲覧することができる。また、他の機器と共有したキーワードと同時に閲覧履歴を表示するので、検索の効率が向上する。
【０１４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、各実施形態は特定の実施形態を基に説明したが、説明した実施形態に限らず他の実施形態と組み合わせることも可能である。また、上述の説明は特定の２つの実施形態の組み合わせを説明したが、任意の実施形態との組み合わせ、あるいは３つ以上の実施形態を組み合わせることも可能である。
【符号の説明】
【０１４８】
１０２・・・コンピュータ、２０６・・・コンテンツ表示プログラム、２１８・・・文書抽出部、２２０・・・キーワード抽出部、２６２・・・抽出キーワード記憶部、２２８・・・検索キーワード記憶部、２３６・・・キーワード検索部、２４４・・・検索結果表示部、８０４・・・過去キーワード記憶部、８０８・・・検索結果記憶部。
【図１】
2012212191.tif 000003
【図２】
2012212191.tif 000004
【図３】
2012212191.tif 000005
【図４】
2012212191.tif 000006
【図５】
2012212191.tif 000007
【図６】
2012212191.tif 000008
【図７】
2012212191.tif 000009
【図８】
2012212191.tif 000010
【図９】
2012212191.tif 000011
【図１０】
2012212191.tif 000012
【図１１】
2012212191.tif 000013
【図１２】
2012212191.tif 000014
【図１３】
2012212191.tif 000015
【図１４】
2012212191.tif 000016
【図１５】
2012212191.tif 000017
【図１６】
2012212191.tif 000018
【図１７】
2012212191.tif 000019
【図１８】
2012212191.tif 000020
【図１９】
2012212191.tif 000021
【図２０】
2012212191.tif 000022
【図２１】
2012212191.tif 000023
【図２２】
2012212191.tif 000024
【図２３】
2012212191.tif 000025
【図２４】
2012212191.tif 000026
【図２５】
2012212191.tif 000027
【図２６】
2012212191.tif 000028
【図２７】
2012212191.tif 000029
【図２８】
2012212191.tif 000030
【図２９】
2012212191.tif 000031
【図３０】
2012212191.tif 000032
【図３１】
2012212191.tif 000033
【図３２】
2012212191.tif 000034
【図３３】
2012212191.tif 000035
【手続補正書】
【提出日】平成24年4月13日(2012.4.13)
【手続補正２】
【補正対象書類名】明細書
【補正対象項目名】０００１
【補正方法】変更
【補正の内容】
【０００１】
本発明の実施形態は情報を検索する情報処理装置、情報処理方法及び情報記憶媒体に関する。
【手続補正３】
【補正対象書類名】明細書
【補正対象項目名】０００７
【補正方法】変更
【補正の内容】
【０００７】
本発明の目的は、現在表示されているウェブページから抽出したキーワードに加えて過去に表示されたウェブページから抽出したキーワードも選択することができる情報処理装置、情報処理方法及び情報記憶媒体を提供することである。
【手続補正４】
【補正対象書類名】明細書
【補正対象項目名】０００８
【補正方法】変更
【補正の内容】
【０００８】
実施形態によれば、情報処理装置はコンテンツ表示手段と、抽出手段と、記憶手段と、キーワード表示手段とを具備する。抽出手段はコンテンツ表示手段により表示されているコンテンツからキーワードを自動的に抽出する。記憶手段は抽出された第１キーワードを記憶する。キーワード表示手段は抽出された第１キーワードと記憶手段から読み出された第２キーワードとを表示する。
【手続補正５】
【補正対象書類名】特許請求の範囲
【補正対象項目名】全文
【補正方法】変更
【補正の内容】
【特許請求の範囲】
【請求項１】
コンテンツを表示するコンテンツ表示手段と、
前記表示手段により表示されている前記コンテンツからキーワードを自動的に抽出する抽出手段と、
前記抽出手段によって抽出された第１キーワードを記憶する記憶手段と、
前記抽出手段によって抽出された前記第１キーワードと前記記憶手段から読み出された第２キーワードを表示するキーワード表示手段と、
を具備する情報処理装置。
【請求項２】
前記キーワード表示手段は前記第１キーワードを表示する第１画面と前記第２キーワードを表示する第２画面とを具備し、前記第１画面と前記第２画面は切り替え可能である請求項１記載の情報処理装置。
【請求項３】
前記第１画面と前記第２画面はそれぞれタグを具備し、ユーザがタグを選択することにより前記第１画面と前記第２画面が切り替え可能である請求項２記載の情報処理装置。
【請求項４】
前記キーワード表示手段で表示されている前記第２のキーワードのいずれかを選択する選択手段と、
前記選択手段で選択されたキーワードを用いて検索を行う検索手段と、をさらに具備し、
前記キーワード表示手段は前記第２のキーワードの中の前記選択手段で選択されたキーワードを識別可能に表示する請求項１記載の情報処理装置。
【請求項５】
前記キーワード表示手段で表示されている前記第１のキーワードと前記第２のキーワードのいずれかを選択する選択手段と、
前記選択手段で選択されたキーワードを用いて検索を行う検索手段と、
前記選択手段による検索結果を表示する検索結果表示手段をさらに具備する請求項１記載の情報処理装置。
【請求項６】
前記検索結果表示手段により表示される検索結果は前記選択手段により選択されるキーワードの変更に応じて更新される請求項５記載の情報処理装置。
【請求項７】
前記キーワード表示手段は前記第１キーワードを表示する第１画面と前記選択手段で選択されたキーワードを表示する第３画面とを具備し、前記第１画面と前記第３画面は切り替え可能である請求項４記載の情報処理装置。
【請求項８】
前記第１画面と前記第２画面はそれぞれタグを具備し、ユーザがタグを選択することにより前記第１画面と前記第２画面が切り替え可能である請求項７記載の情報処理装置。
【請求項９】
前記キーワード表示手段で表示されている前記第１のキーワードと前記第２のキーワードのいずれかを選択する選択手段と、
前記選択手段で選択された第３キーワードを用いて検索を行う検索手段と、をさらに具備し、
前記キーワード表示手段は前記第２キーワードの中の前記第３キーワードを識別可能に表示する請求項１記載の情報処理装置。
【請求項１０】
前記キーワード表示手段は、前記第３キーワードに対応して識別マークを表示する請求項９記載の情報処理装置。
【請求項１１】
前記キーワード表示手段は前記第１キーワードを表示する第１画面と前記第２キーワードを表示する第２画面とを具備し、前記第１画面と前記第２画面は切り替え可能である請求項９記載の情報処理装置。
【請求項１２】
前記第１画面と前記第２画面はそれぞれタグを具備し、ユーザがタグを選択することにより前記第１画面と前記第２画面が切り替え可能である請求項１１記載の情報処理装置。
【請求項１３】
前記キーワード表示手段は表示されるキーワードに対応して複数のカテゴリを表示し、
前記選択手段は前記複数のカテゴリのいずれかを選択し、
検索手段は選択されたカテゴリについて検索を行う請求項４または５記載の情報処理装置。
【請求項１４】
他の機器からキーワードと当該機器の識別情報とを受信する受信手段をさらに具備し、
前記記憶手段は前記受信手段で受信されたキーワードと識別情報を記憶し、
前記キーワード表示手段は記憶手段から読み出されたキーワードと識別情報も表示する請求項１記載の情報処理装置。
【請求項１５】
前記コンテンツ表示手段によるコンテンツの閲覧履歴を表示する履歴表示手段をさらに具備する請求項１記載の情報処理装置。
【請求項１６】
前記キーワード表示手段は前記第１キーワードを表示する第１画面と前記第２キーワードを表示する第２画面とを具備し、前記履歴表示手段は前記閲覧履歴を表示する第３画面とを具備し、前記第１画面と前記第２画面と前記第３画面は切り替え可能である請求項１５記載の情報処理装置。
【請求項１７】
前記第１画面と前記第２画面と前記第３画面はそれぞれタグを具備し、ユーザがタグを選択することにより前記第１画面と前記第２画面と前記第３画面が切り替え可能である請求項１６記載の情報処理装置。
【請求項１８】
コンテンツを表示し、
表示されている前記コンテンツからキーワードを自動的に抽出し、
抽出された第１キーワードを記憶部に記録し、
抽出された前記第１キーワードと前記記憶部から読み出された第２キーワードとを表示する情報処理方法。
【請求項１９】
コンピュータ読取可能な情報記憶媒体であって、
コンテンツを表示ことと、
表示されている前記コンテンツからキーワードを自動的に抽出することと、
抽出された第１キーワードを記憶部に記録することと、
抽出された前記第１キーワードと前記記憶部から読み出された第２キーワードとを表示することと、
を具備する情報処理プログラムを格納する情報記憶媒体。